(57)【要約】【課題】事故などのイベント発生時の他車両の挙動を容易に判別すること。【解決手段】映像記録制御装置は、自車両の周囲を撮影するカメラが撮影した映像データを取得するデータ取得部と、カメラが撮影している方向に存在する交通案内情報を取得する交通案内情報取得部と、データ取得部が取得した映像データから他車両を認識し、認識した他車両の位置および移動方向を検出する他車両情報検出部と、他車両情報検出部が検出した他車両の位置および移動方向に基づいて、他車両が従うべき交通案内情報を対応付ける交通案内情報対応判断部と、他車両が関係するイベントを検出するイベント検出部と、イベント検出部がイベントを検出した場合、イベントの発生時点を少なくとも含む期間の映像データに、交通案内情報対応判断部が判断した他車両が従うべき交通案内情報を含めて保存する記憶制御部と、を備える。【選択図】図１
2020042712.tif 000002
【特許請求の範囲】
【請求項１】
自車両の周囲を撮影するカメラが撮影した映像データを取得するデータ取得部と、
前記カメラが撮影している方向に存在する交通案内情報を取得する交通案内情報取得部と、
前記データ取得部が取得した映像データから他車両を認識し、認識した前記他車両の位置および移動方向を検出する他車両情報検出部と、
前記他車両情報検出部が検出した前記他車両の位置および移動方向に基づいて、前記他車両が従うべき交通案内情報を対応付ける交通案内情報対応判断部と、
前記他車両が関係するイベントを検出するイベント検出部と、
前記イベント検出部がイベントを検出した場合、イベントの発生時点を少なくとも含む期間の映像データに、前記交通案内情報対応判断部が判断した前記他車両が従うべき交通案内情報を含めて保存する記憶制御部と、
を備える映像記録制御装置。
【請求項２】
前記他車両情報検出部は、認識した前記他車両の移動推移をさらに検出し、
前記イベント検出部は、認識した前記他車両の移動推移に基づき前記他車両が関連するイベントを検出する、
請求項１に記載の映像記録制御装置。
【請求項３】
前記データ取得部は、映像データに加えて音声データを取得し、
前記イベント検出部は、認識した他車両の移動推移に加えて音声データに基づき前記他車両が関連するイベントを検出する、
請求項２に記載の映像記録制御装置。
【請求項４】
前記イベント検出部は、認識した他車両の移動推移に加えて前記自車両に加わった加速度に基づき、前記他車両および前記自車両が関連するイベントを検出する、
請求項２または３に記載の映像記録制御装置。
【請求項５】
前記記憶制御部は、前記他車両が従うべき交通案内情報を、イベントの発生時点を少なくとも含む期間の映像データと位置関係が整合した別の映像データとして保存する、
請求項１から４のいずれか１項に記載の映像記録制御装置。
【請求項６】
前記記憶制御部は、イベントの発生時点を少なくとも含む期間の映像データと、前記他車両が従うべき交通案内情報とを、少なくとも、イベントの発生時点を少なくとも含む期間の映像データのみの再生、およびイベントの発生時点を少なくとも含む期間の映像データに前記他車両が従うべき交通案内情報を含めた再生が可能なように保存する、
請求項１から５のいずれか１項に記載の映像記録制御装置。
【請求項７】
前記交通案内情報は、信号機または交通標識であり、
前記交通案内情報対応判断部は、前記他車両が従うべき前記信号機の点灯情報または前記交通標識の内容を前記他車両に対応付ける、
請求項１から６のいずれか１項に記載の映像記録制御装置。
【請求項８】
請求項１から７のいずれか１項に記載の映像記録制御装置と、
自車両の周囲を撮影するカメラと、
前記カメラが撮影した映像データを保存する記憶部と、
を備える映像記録システム。
【請求項９】
自車両の周囲を撮影するカメラが撮影した映像データを取得するデータ取得ステップと、
前記カメラが撮影している方向に存在する交通案内情報を取得する交通案内情報取得ステップと、
前記データ取得ステップにおいて取得された映像データから他車両を認識し、認識した前記他車両の位置および移動方向を検出する他車両情報検出ステップと、
前記他車両情報検出ステップにおいて検出された前記他車両の位置および移動方向に基づいて、前記他車両が従うべき交通案内情報を対応付ける交通案内情報対応判断ステップと、
前記他車両が関係するイベントを検出するイベント検出ステップと、
前記イベント検出ステップにおいてイベントが検出された場合、イベントの発生時点を少なくとも含む期間の映像データに、前記交通案内情報対応判断ステップにおいて判断された前記他車両が従うべき交通案内情報を含めて保存する記録制御ステップと、
を備える映像記録方法。
【請求項１０】
自車両の周囲を撮影するカメラが撮影した映像データを取得するデータ取得ステップと、
前記カメラが撮影している方向に存在する交通案内情報を取得する交通案内情報取得ステップと、
前記データ取得ステップにおいて取得された映像データから他車両を認識し、認識した前記他車両の位置および移動方向を検出する他車両情報検出ステップと、
前記他車両情報検出ステップにおいて検出された前記他車両の位置および移動方向に基づいて、前記他車両が従うべき交通案内情報を対応付ける交通案内情報対応判断ステップと、
前記他車両が関係するイベントを検出するイベント検出ステップと、
前記イベント検出ステップにおいてイベントが検出された場合、イベントの発生時点を少なくとも含む期間の映像データに、前記交通案内情報対応判断ステップにおいて判断された前記他車両が従うべき交通案内情報を含めて保存する記録制御ステップと、
をコンピュータに実行させるための映像記録制御プログラム。
【発明の詳細な説明】
【技術分野】
【０００１】
本発明は、映像記録制御装置、映像記録システム、映像記録方法、および映像記録制御プログラムに関する。
【背景技術】
【０００２】
自車両の運転状況に基づいてイベントを検出し、イベント情報を記録する技術が知られている(例えば、特許文献１)。
【先行技術文献】
【特許文献】
【０００３】
【特許文献１】特開２０１２−６９０５１号公報
【発明の概要】
【発明が解決しようとする課題】
【０００４】
特許文献１では、信号機情報を取得して信号無視の可能性を検出し、信号無視の可能性が高い場合にイベント情報を記録している。具体的には、特許文献１に記載の技術は、自車両が信号無視を行った場合にイベント発生と判断されるため、イベント記録データからは、他の車両が、他の車両が従うべき信号機に対してどのような挙動を行ったのか判断ができない。このため、特許文献１の技術は、自車両の過失を立証することはできるが、他車両の過失を立証できない可能性がある。また、特許文献１には、自車両がイベント(事故)の当事者ではない第三者として、他車両間で発生したイベントに対する情報を提供する技術について開示されていない。
【０００５】
そこで、本発明は、事故などのイベント発生時の他車両の挙動を容易に判別することのできる、映像記録制御装置、映像記録システム、映像記録方法、および映像記録制御プログラムを提供することを課題とする。
【課題を解決するための手段】
【０００６】
本発明の映像記録制御装置は、自車両の周囲を撮影するカメラが撮影した映像データを取得するデータ取得部と、前記カメラが撮影している方向に存在する交通案内情報を取得する交通案内情報取得部と、前記データ取得部が取得した映像データから他車両を認識し、認識した前記他車両の位置および移動方向を検出する他車両情報検出部と、前記他車両情報検出部が検出した前記他車両の位置および移動方向に基づいて、前記他車両が従うべき交通案内情報を対応付ける交通案内情報対応判断部と、前記他車両が関係するイベントを検出するイベント検出部と、前記イベント検出部がイベントを検出した場合、イベントの発生時点を少なくとも含む期間の映像データに、前記交通案内情報対応判断部が判断した前記他車両が従うべき交通案内情報を含めて保存する記憶制御部と、を備える。
【０００７】
本発明の映像記録システムは、本発明の映像記録制御装置と、自車両の周囲を撮影するカメラと、前記カメラが撮影した映像データを保存する記憶部と、を備える。
【０００８】
本発明の映像記録方法は、自車両の周囲を撮影するカメラが撮影した映像データを取得するデータ取得ステップと、前記カメラが撮影している方向に存在する交通案内情報を取得する交通案内情報取得ステップと、前記データ取得ステップにおいて取得された映像データから他車両を認識し、認識した前記他車両の位置および移動方向を検出する他車両情報検出ステップと、前記他車両情報検出ステップにおいて検出された前記他車両の位置および移動方向に基づいて、前記他車両が従うべき交通案内情報を対応付ける交通案内情報対応判断ステップと、前記他車両が関係するイベントを検出するイベント検出ステップと、前記イベント検出ステップにおいてイベントが検出された場合、イベントの発生時点を少なくとも含む期間の映像データに、前記交通案内情報対応判断ステップにおいて判断された前記他車両が従うべき交通案内情報を含めて保存する記録制御ステップと、を含む。
【０００９】
本発明の映像記録制御プログラムは、自車両の周囲を撮影するカメラが撮影した映像データを取得するデータ取得ステップと、前記カメラが撮影している方向に存在する交通案内情報を取得する交通案内情報取得ステップと、前記データ取得ステップにおいて取得された映像データから他車両を認識し、認識した前記他車両の位置および移動方向を検出する他車両情報検出ステップと、前記他車両情報検出ステップにおいて検出された前記他車両の位置および移動方向に基づいて、前記他車両が従うべき交通案内情報を対応付ける交通案内情報対応判断ステップと、前記他車両が関係するイベントを検出するイベント検出ステップと、前記イベント検出ステップにおいてイベントが検出された場合、イベントの発生時点を少なくとも含む期間の映像データに、前記交通案内情報対応判断ステップにおいて判断された前記他車両が従うべき交通案内情報を含めて保存する記録制御ステップと、をコンピュータに実行させる。
【発明の効果】
【００１０】
本発明によれば、事故などのイベント発生時の他車両の挙動を容易に判別することができる。
【図面の簡単な説明】
【００１１】
【図１】図１は、本実施形態に係る映像記録システムの構成の一例を示すブロック図である。
【図２】図２は、自車両と、他車両とを説明するための模式図である。
【図３】図３は、本実施形態に係るイベント検出に基づくイベント記録データの、イベント検出前の映像の一例を示す図である。
【図４】図４は、本実施形態に係るイベント検出に基づくイベント記録データの、イベント検出時の映像の一例を示す図である。
【図５】図５は、本実施形態に係るイベント検出に基づくイベント記録データの、イベント検出前の映像の一例を示す図である。
【図６】図６は、本実施形態に係るイベント検出に基づくイベント記録データの、イベント検出時の映像の一例を示す図である。
【図７】図７は、本実施形態に係るイベント検出に基づくイベント記録データの、イベント検出前の映像の一例を示す図である。
【図８】図８は、本実施形態に係る映像記録制御装置の処理の流れの一例を示すフローチャートである。
【発明を実施するための形態】
【００１２】
以下、添付図面を参照して、本発明に係る実施形態を詳細に説明する。なお、この実施形態により本発明が限定されるものではなく、また、実施形態が複数ある場合には、各実施形態を組み合わせて構成するものも含む。
【００１３】
［実施形態］
図１を用いて、本実施形態に係る映像記録システムの構成について説明する。図１は、本実施形態に係る映像記録システムの構成の一例を示すブロック図である。
【００１４】
図１に示すように、映像記録システム１は、カメラ１０と、マイクロフォン２０と、記憶部３０と、操作部４０と、表示部５０と、センサ部６０と、ＧＰＳ（Global  Positioning  System）受信部７０と、ＴＳＰＳ（Traffic  Signal  Prediction  System）受信部８０と、映像記録制御装置１００と、を備える。映像記録システム１は、例えば、車両に搭載されるドライブレコーダとして、他車両の事故などのイベントを記録する。映像記録システム１は、単体のドライブレコーダであってもよく、例えば、ナビゲーション装置や車両に装着されている他のシステムの機能として実現されてもよい。
【００１５】
図２は、自車両と、他車両とを説明するための模式図である。図２は、交差点などで、自車両Ｃ１と、他車両Ｃ２と、他車両Ｃ３とが交差点で停車している様子を示している。映像記録システム１は、例えば、自車両Ｃ１に搭載されている。この場合、映像記録システム１は、自車両Ｃ１の前方に停車している、他車両Ｃ２と、他車両Ｃ３とを含む範囲を撮影する。そして、映像記録システム１は、他車両Ｃ２と、他車両Ｃ３など、他車両間で発生する事故などのイベントを記録する。以下では、自車両Ｃ１に搭載された映像記録システム１が、他車両Ｃ２と、他車両Ｃ３との間で発生したイベントを撮影し、撮影したイベントを記録するものとして説明するが、これは例示であり、本発明を限定するものではない。
【００１６】
カメラ１０は、自車両Ｃ１の周囲の映像を撮影する。カメラ１０は、例えば、自車両Ｃ１の前方（進行方向）の映像を撮影する。カメラ１０は、自車両Ｃ１の周囲の映像を撮影してもよい。カメラ１０は、撮影した映像データに撮影した日時および場所を特定できるような、タイムスタンプや緯度経度情報などの情報を付加してもよい。カメラ１０は、例えば、ドライブレコーダに搭載されたカメラで実現することができる。カメラ１０は、撮影した映像データをデータ取得部１２０に出力する。
【００１７】
マイクロフォン２０は、自車両Ｃ１の周囲の音声を検出する。マイクロフォン２０は、例えば、自車両Ｃ１の周囲で発生した交通事故などにおける車両の衝突音や、人物の音声を取得する。マイクロフォン２０は、検出した音声データに検出した日時を特定できるような、タイムスタンプなどの時間に関する情報を付加してもよい。マイクロフォン２０は、一般的なマイクロフォンで実現することができる。マイクロフォン２０は、取得した音声をデータ取得部１２０に出力する。
【００１８】
記憶部３０は、例えば、映像記録制御装置１００の各部を実現させるためのプログラムを記憶している。記憶部３０は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置で実現することができる。記憶部３０は、例えば、車両認識辞書３３と、地図情報３４とを記憶しており、イベントが検出されたときは、イベント記録データ３１と、対応交通案内情報３２とを記憶する。記憶部３０は、複数の異なるメモリ等で構成されてもよい。また、地図情報３４は、ナビゲーション装置や他の装置に記憶されている地図情報を利用してもよい。
【００１９】
イベント記録データ３１は、他車両間で発生した事故などのイベントを含む映像データである。イベント記録データ３１は、事故に限定されず、その他のイベントの映像であってもよい。
【００２０】
対応交通案内情報３２は、具体的には後述するが、イベント記録データ３１に含まれる他車両が従うべき交通案内情報である。交通案内情報は、例えば、信号機や、交通標識に関する情報である。
【００２１】
車両認識辞書３３は、映像記録制御装置１００が映像データに含まれている物体から車両を認識するための辞書データである。すなわち、映像記録制御装置１００は、車両認識辞書３３に基づいて、映像データから車両を検出する。具体的には、映像記録制御装置１００は、車両認識辞書３３に含まれる形状データと、映像データに含まれる物体の形状とを比較することで、映像データに含まれる車両を検出する。なお、映像記録制御装置１００が他車両を検出する方法は、これに限定されない。映像記録制御装置１００は、その他の周知の方法を用いて、他車両を検出してもよい。
【００２２】
地図情報３４は、道路や施設に関する情報に加えて、道路に対応する交通案内情報を含む情報である。例えば、交差点等における進行方向毎の信号機の有無、一時停止標識の有無や、制限速度情報などの情報を含む。
【００２３】
操作部４０は、映像記録制御装置１００に対するユーザからの各種の操作を受け付ける。ユーザからの操作には、例えば、記憶部３０が記憶しているイベント記録データ３１を再生するための操作が含まれる。操作部４０は、例えば、物理的なボタンや、表示部５０に設けられたタッチパネルで実現することができる。
【００２４】
表示部５０は、各種の映像を表示する。表示部５０は、例えば、記憶部３０が記憶しているイベント記録データ３１を表示する。表示部５０は、例えば、液晶ディスプレイ（ＬＣＤ：Liquid  Crystal  Display）または有機ＥＬ（Organic  Electro-Luminescence）ディスプレイなどを含むディスプレイである。なお、表示部５０は、これらに限定されるものではない。
【００２５】
センサ部６０は、自車両Ｃ１の各種の情報を検出する。センサ部６０は、例えば、加速度センサであり、自車両Ｃ１に加わった加速度を検出する。センサ部６０は、例えば、ジャイロセンサであり、自車両Ｃ１の姿勢に関する情報を検出する。センサ部６０は、検出結果をイベント検出部１２８に出力する。
【００２６】
ＧＰＳ受信部７０は、ＧＰＳ受信回路、ＧＰＳ受信アンテナなどから構成されており、ＧＰＳ信号を受信する。ＧＰＳ受信部７０は、受信したＧＰＳ信号を現在位置算出部１２９に出力する。
【００２７】
ＴＳＰＳ受信部８０は、自車両Ｃ１の周囲に存在する信号機に関する情報を取得する。ＴＳＰＳ受信部８０は、例えば、信号情報活用運転支援システムから自車両Ｃ１の周囲に存在する信号機に関する情報を取得する。ＴＳＰＳ受信部８０は、取得した信号機に関する情報を交通案内情報取得部１２２に出力する。
【００２８】
映像記録制御装置１００は、データ取得部１２０と、バッファメモリ１２１と、交通案内情報取得部１２２と、記憶制御部１２３と、再生制御部１２４と、他車両情報検出部１２５と、操作制御部１２６と、表示制御部１２７と、イベント検出部１２８と、現在位置算出部１２９と、交通案内情報対応判断部１３０と、映像データ処理部１３１とを備える。映像記録制御装置１００が備える各部は、例えば、ＣＰＵ(Central  Processing  Unit)を含む電子的な回路で実現することができる。また、映像記録制御装置１００が備える各部は、バス１１０を介して互いに接続されている。
【００２９】
データ取得部１２０は、映像記録制御装置１００の外部から各種のデータを取得する。データ取得部１２０は、例えば、カメラ１０からカメラ１０が撮影した映像データを取得する。データ取得部１２０は、例えば、マイクロフォン２０からマイクロフォン２０が検出した音声データを取得する。なお、データ取得部１２０が取得するデータはこれらに限定されるものではない。
【００３０】
バッファメモリ１２１は、各種のデータを一時的に記憶する。バッファメモリ１２１は、例えば、カメラ１０が撮影した映像データを一時的に記憶する。バッファメモリ１２１は、例えば、マイクロフォン２０が検出した音声データを一時的に記憶する。なお、バッファメモリ１２１が記憶するデータはこれらに限定されるものではない。
【００３１】
交通案内情報取得部１２２は、現在位置算出部１２９が算出した現在位置に基づき、地図情報３４から、自車両Ｃ１の周囲に存在している交通案内情報を取得する。カメラ１０が自車両Ｃ１の進行方向を撮影する場合、交通案内情報取得部１２２は、自車両Ｃ１の進行方向、言い換えるとカメラ１０が撮影した方向に存在している交通案内情報を取得する。交通案内情報取得部１２２は、ＴＳＰＳ受信部８０から、自車両Ｃ１の周囲に存在する信号機に関する情報を取得する。また、交通案内情報取得部１２２は、地図情報３４から、自車両Ｃ１の周囲に存在する交通標識に関する情報を取得する。交通案内情報取得部１２２は、少なくともカメラ１０が撮影した方向に存在している交通案内情報を取得すればよい。例えば、図２においては、自車両Ｃ１に搭載されたカメラ１０の撮影方向には、第一交通案内２１０と、第二交通案内２２０と、第三交通案内２３０とが含まれている。ここで、第一交通案内２１０は、自車両Ｃ１が従うべき交通案内である。第二交通案内２２０は、他車両Ｃ２が従うべき交通案内である。第三交通案内２３０は、他車両Ｃ３が従うべき交通案内である。第一交通案内２１０から第三交通案内２３０は、例えば、対応する車両が従うべき交通標識や、信号機のことを意味している。図２に示す例の場合、交通案内情報取得部１２２は、第一交通案内２１０から第三交通案内２３０に関する情報を取得する。
【００３２】
第一交通案内２１０から第三交通案内２３０が信号機である場合、交通案内情報取得部１２２は、例えば、各信号機の点灯色に関する点灯情報を取得する。この場合、交通案内情報取得部１２２は、例えば、ＴＳＰＳ受信部８０が受信したＴＳＰＳ信号に基づいて、各信号機の点灯色に関する情報を取得する。また、交通案内情報取得部１２２は、カメラ１０が撮影した映像データに基づいて、各信号機の点灯色に関する情報を取得してもよい。また、交通案内情報取得部１２２は、カメラ１０が撮影した映像データと、映像データに付加された時間に関する情報に基づいて、信号情報活用運転支援システムからその時間の信号機の点灯色に関する情報を取得してもよい。
【００３３】
第一交通案内２１０から第三交通案内２３０が交通標識である場合、交通案内情報取得部１２２は、地図情報３４から、各交通標識に関する情報を取得する。具体的には、交通案内情報取得部１２２は、交通標識に関する情報として、例えば、一時停止、優先道路、一方通行、速度制限に関する情報を取得する。交通案内情報取得部１２２は、例えば、各交通標識に関する情報を、ＧＰＳ受信部７０が受信したＧＰＳ信号に基づいて取得する。なお、交通案内情報取得部１２２が取得する交通標識に関する情報は上記に限定されるものではない。
【００３４】
記憶制御部１２３は、例えば、カメラ１０が撮影した映像データをバッファメモリ１２１に記憶する。記憶制御部１２３は、例えば、マイクロフォン２０が検出した音声データをバッファメモリ１２１に記憶する。記憶制御部１２３は、例えば、少なくともイベント検出部１２８が検出したイベント発生時点を含む映像データを、イベント記録データ３１として記憶部３０に記憶する。この場合、記憶制御部１２３は、例えば、イベント発生前の映像データをバッファメモリ１２１から読み出して、イベント発生前からイベント発生時の様子を含む映像データを、イベント記録データ３１として記憶部３０に記憶する。記憶制御部１２３は、カメラ１０が撮影した映像データを、バッファメモリ１２１を介して記憶部３０に上書き可能な状態で記憶し、イベント検出部１２８がイベントを検出した場合に、イベント記録データ３１を上書き禁止状態で記憶部３０に記憶させるようにしてもよい。記憶制御部１２３は、記憶したイベント記録データ３１を、改竄不可のデータとして記憶してもよく、一定期間の削除を禁止したデータとして記憶してもよい。
【００３５】
具体的には、記憶制御部１２３は、例えば、イベント検出部１２８がイベントを検出した場合、イベントの発生時点を少なくとも含む期間の映像データに、交通案内情報対応判断部１３０が判断した他車両が従うべき交通案内情報を含めて記憶部３０に記憶する。記憶制御部１２３は、他車両が従うべき交通案内情報を、イベントの発生時点を少なくとも含む期間の映像データと位置関係が整合した別の映像データである、対応交通案内情報３２として記憶部３０に記憶する。記憶制御部１２３は、イベントの発生時点を少なくとも含む期間の映像データと、対応交通案内情報３２とを、少なくとも、イベントの発生時点を少なくとも含む期間の映像データのみの再生が可能なように記憶部３０に記憶する。記憶制御部１２３は、イベントの発生時点を少なくとも含む期間の映像データに、他車両が従うべき交通案内情報である対応交通案内情報３２を含めた再生が可能なように記憶部３０に記憶する。言い換えると、記憶制御部１２３は、イベント記録データ３１と、対応交通案内情報３２とを、例えば、それぞれ独立に記憶部３０に記憶する。
【００３６】
再生制御部１２４は、例えば、操作制御部１２６からの指示に従って、イベント記録データ３１を再生する。再生制御部１２４は、例えば、対応交通案内情報３２とは独立にイベント記録データ３１を再生する。再生制御部１２４は、例えば、イベント記録データ３１に対応交通案内情報３２を重畳させて再生する。再生制御部１２４は、例えば、イベント記録データ３１の再生データを表示制御部１２７に出力する。再生制御部１２４は、例えば、イベント記録データ３１に対応交通案内情報３２を重畳させた再生データを表示制御部１２７に出力する。
【００３７】
他車両情報検出部１２５は、例えば、データ取得部１２０がカメラ１０から取得した映像データに含まれる他車両を認識する。具体的には、他車両情報検出部１２５は、例えば、車両認識辞書３３に基づいて、データ取得部１２０がカメラ１０から取得した映像データに含まれる他車両を認識する。他車両情報検出部１２５は、車両認識辞書３３に限らず、その他の周知の方法で他車両を検出してもよい。他車両情報検出部１２５は、例えば、認識した他車両の位置および移動方向を検出する。また、他車両情報検出部１２５は、認識した他車両の移動推移をさらに検出する。他車両情報検出部１２５は、例えば、検出結果をイベント検出部１２８に出力する。他車両情報検出部１２５は、他車両の認識を、イベント記録データに対して行うこととしてもよい。
【００３８】
操作制御部１２６は、例えば、操作部４０がユーザから受け付けた、イベント記録データ３１の再生に関する操作信号を受け付ける。操作制御部１２６は、例えば、操作信号に基づいて、再生制御部１２４にイベント記録データ３１を再生させる。また、操作制御部１２６は、操作部４０がユーザから受け付けた、イベント記録指示に関する操作信号を受け取る。操作制御部１２６がイベント記録指示に関する操作信号を受け取った場合、記憶制御部１２３は、イベント記録指示に関する操作信号を受け取った時点をイベント発生時点として、イベント発生時点を含む映像データを、イベント記録データ３１として記憶部３０に記憶する。
【００３９】
表示制御部１２７は、例えば、表示部５０に映像を表示する。表示制御部１２７は、例えば、再生制御部１２４の制御に従って、イベント記録データ３１を表示部５０に表示する。表示制御部１２７は、例えば、再生制御部１２４の制御に従って、イベント記録データ３１に対応交通案内情報３２を重畳させた映像を表示部５０に表示する。
【００４０】
イベント検出部１２８は、例えば、他車両が関係するイベントを検出する。イベント検出部１２８は、例えば、他車両が従うべき交通案内を従わなかった場合に、イベントとして検出する。イベント検出部１２８は、例えば、他車両間で発生した交通事故をイベントとして検出する。イベント検出部１２８は、例えば、他車両情報検出部１２５が認識した他車両の移動推移に基づいて、他車両が関連するイベントを検出する。イベント検出部１２８は、例えば、他車両情報検出部１２５が認識した他車両の移動推移に加えて、マイクロフォン２０が検出した音声データに基づいて他車両が関連するイベントを検出する。この場合、イベント検出部１２８は、例えば、マイクロフォン２０が検出した人の叫び声や衝突音に基づいて、他車両が関連するイベントを検出する。イベント検出部１２８は、例えば、他車両情報検出部１２５が認識した他車両の移動推移に加えて、センサ部６０が検出した自車両に加わった加速度に基づいて、他車両および自車両が関連するイベントを検出する。この場合、イベント検出部１２８は、例えば、センサ部６０が検出した急ブレーキなどに起因する負の加速度を検出した場合に、他車両および自車両が関連するイベントを検出する。イベントとして検出される他車両の推移とは、例えば、他車両情報検出部１２５が認識している他車両が、移動中に急に停止した場合などである。
【００４１】
現在位置算出部１２９は、ＧＰＳ受信部７０からＧＰＳ信号を取得する。現在位置算出部１２９は、例えば、ＧＰＳ信号に基づいて、自車両の現在位置を算出する。
【００４２】
交通案内情報対応判断部１３０は、例えば、他車両情報検出部１２５が検出した他車両の位置および移動方向に基づいて、交通案内情報取得部１２２が取得した、他車両が従うべき交通案内情報を、他車両に対応付ける。具体的には、交通案内情報対応判断部１３０は、例えば、他車両が従うべき交通案内情報を、他車両に視覚的に対応付ける。交通案内情報対応判断部１３０は、対応付けた交通案内情報を記憶制御部１２３に出力する。
【００４３】
映像データ処理部１３１は、例えば、カメラ１０が撮影した映像データに対して各種の処理を施す。映像データ処理部１３１は、例えば、イベントの発生時点を少なくとも含む期間の映像データと位置関係が整合した別の映像データとして保存されている交通案内情報を、イベント発生時点の映像データに重畳させる。
【００４４】
図３と、図４とを用いて、映像記録システム１の具体的な処理について説明する。図３は、本実施形態に係るイベント検出に基づいて記憶されたイベント記録データの、イベント検出前の映像の一例を示す図である。図４は、本実施形態に係るイベント検出に基づいて記憶されたイベント記録データの、イベント検出時の映像の一例を示す図である。
【００４５】
図３に示すイベント記録データ３００は、図２において、自車両Ｃ１が前方に位置する他車両Ｃ２と、他車両Ｃ３とを撮影したイベント検出前の映像データである。
【００４６】
イベント記録データ３００には、交通案内情報として、第一信号機３１０と、第二信号機３２０と、第三信号機３３０が含まれている。言い換えると、自車両Ｃ１の進行方向であり、自車両Ｃ１に搭載されたカメラ１０の撮影方向に、少なくとも第一信号機３１０、第二信号機３２０、第三信号機３３０を含む信号機が存在していることが、地図情報３４から判断できる。この場合、交通案内情報取得部１２２は、第一信号機３１０から第三信号機３３０の点灯情報を取得する。ここでは、交通案内情報取得部１２２は、第一信号機３１０及び第二信号機３２０の点灯色が青、第三信号機３３０の点灯色が赤であることを取得したものとする。
【００４７】
イベント記録データ３００においては、他車両情報検出部１２５の認識処理によって、他車両が認識され、映像データを構成するフレーム間の他車両位置に基づき、他車両の移動推移を検出している。図３および図４においては、他車両として他車両Ｃ２および他車両Ｃ３が検出されている。
【００４８】
交通案内情報対応判断部１３０は、他車両Ｃ２に対して第二信号機３２０の点灯情報を対応付ける。図３に示す例の場合、交通案内情報対応判断部１３０は、図３に示す映像が撮影された時点において、他車両Ｃ２に対して第二信号機３２０の点灯情報が青色であることを対応付ける。交通案内情報対応判断部１３０は、他車両Ｃ３に対して第三信号機３３０の点灯情報を対応付ける。図３に示す例の場合、交通案内情報対応判断部１３０は、図３に示す映像が撮影された時点において、他車両Ｃ３に対して第三信号機３３０の点灯情報が赤色であることを対応付ける。各他車両に対応付けられた交通案内情報は、記憶制御部１２３によって、記憶部３０に対応交通案内情報３２として記憶される。
【００４９】
そして、図３に示すように、表示制御部１２７は、例えば、イベント記録データ３００における他車両Ｃ２に対応する位置に、対応交通案内情報３２として吹き出しＰ１を重畳させて表示する。この場合、表示制御部１２７は、例えば、吹き出しＰ１を第二信号機３２０の点灯情報に対応させて青色に表示させる。また、表示制御部１２７は、例えば、吹き出しＰ１の中身に「第二信号機３２０の点灯色は青色です」といったような文章を表示してもよい。
【００５０】
また、表示制御部１２７は、例えば、イベント記録データ３００における他車両Ｃ３に対応する位置に、対応交通案内情報３２として吹き出しＰ２を重畳させて表示する。この場合、表示制御部１２７は、例えば、吹き出しＰ２を第三信号機３３０の点灯情報に対応させて赤色に表示させる。また、表示制御部１２７は、例えば、吹き出しＰ２の中身に「第三信号機３３０の点灯色は赤色です」といったような文章を表示してもよい。
【００５１】
図４に示すイベント記録データ４００は、図２において、自車両Ｃ１が前方に位置する他車両Ｃ２と、他車両Ｃ３とを撮影したイベント検出時の映像データである。
【００５２】
イベント記録データ４００には、他車両Ｃ２と、他車両Ｃ３との間で事故が発生した場合において、他車両Ｃ２に対応する位置に吹き出しＰ１が重畳され、他車両Ｃ３に対応する位置に吹き出しＰ２が重畳されている。言い換えれば、イベント記録データ４００には、イベント発生時に他車両Ｃ２が従うべき交通案内情報と、他車両Ｃ３が従うべき交通案内情報とが示されている。そして、図４には、他車両Ｃ３が第三信号機３３０の表示に従わなかったことが示されている。この場合、イベント検出部１２８は、他車両Ｃ３が第三信号機３３０を無視し、他車両Ｃ２との間で事故が発生したことをイベントとして検出している。そして、記憶制御部１２３が、イベント検出部１２８がイベントを検出した時を含む所定期間（例えば、５秒間）前の映像を記録することで、例えば、他車両Ｃ３が第三信号機３３０の表示を無視し、他車両Ｃ２との間で発生する事故を記録することができる。例えば、記憶制御部１２３は、他車両Ｃ３が第三信号機３３０の表示を従わなかった時から、他車両Ｃ２との間で事故が発生するまでの映像を記録すればよい。記憶制御部１２３は、イベントが発生する前の映像はバッファメモリ１２１から読み出せばよい。
【００５３】
図３と、図４とでは、イベント検出部１２８は、他車両間の事故をイベントとして検出したが、これは例示であり、本発明を限定するものではない。他車両と、人物などの物体との事故をイベントして検出してもよい。この場合、交通案内情報対応判断部１３０は、人物に対し、人物が従うべき交通案内情報を対応付けてもよい。これにより、イベント記録データを確認することによって、事故のイベントの発生時に他車両と、人物との挙動を容易に判別することができる。
【００５４】
上述のとおり、本実施形態におけるイベント記録データには、イベント発生時における各他車両が従うべき信号機の点灯情報が重畳されている。これにより、イベント記録データを確認することによって、事故などのイベント発生時に他車両の挙動を容易に判別することができる。
【００５５】
なお、図３と、図４とには、他車両として他車両Ｃ２と、他車両Ｃ３との２台の他車両が示されているが、これは例示であり、本発明を限定するものではない。本発明は、例えば、他車両が１台のみの単独事故や、他車両が３台以上の更に複数台の車両がからむイベントであっても各他車両の挙動を容易に判別することができる。
【００５６】
また、図３と、図４とでは、他車両が従うべき交通案内情報を吹き出しとして示したが、これは例示あり、本発明を限定するものではない。
【００５７】
図５と、図６とを用いて、映像記録システム１の図３と、図４とは異なる処理について説明する。図５は、図３とは異なる、本実施形態に係るイベント検出に基づくイベント記録データの、イベント検出前の映像の一例を示す図である。図６は、図４とは異なる、本実施形態に係るイベント検出に基づくイベント記録データの、イベント検出時の映像の一例を示す図である。
【００５８】
図５に示すように、表示制御部１２７は、例えば、イベント記録データ３００Ａにおける他車両Ｃ２が走行する車線に、対応交通案内情報３２として領域Ｌ１を重畳させて表示する。この場合、表示制御部１２７は、例えば、領域Ｌ１を第二信号機３２０の点灯情報に対応させて青色に表示させる。
【００５９】
また、表示制御部１２７は、例えば、イベント記録データ３００Ａにおける他車両Ｃ３が走行する車線に、対応交通案内情報３２として領域Ｌ２を重畳させて表示する。この場合、表示制御部１２７は、例えば、領域Ｌ２を第三信号機３３０の点灯情報に対応させて赤色に表示させる。
【００６０】
イベント記録データ４００Ａには、他車両Ｃ２と、他車両Ｃ３との間で事故が発生した場合において、他車両Ｃ２が走行する車線に領域Ｌ１が重畳され、他車両Ｃ３が走行する車線に領域Ｌ２が重畳されている。言い換えれば、イベント記録データ４００Ａには、イベント発生時に他車両Ｃ２が従うべき交通案内情報と、他車両Ｃ３が従うべき交通案内情報とが示されている。
【００６１】
上述のとおり、図５と、図６とで示す例では、各他車両が走行する車線に、それぞれの他車両が従うべき信号機の点灯情報を重畳させている。これにより、イベント記録データを確認することによって、事故などのイベント発生時に他車両の挙動を容易に判別することができる。
【００６２】
図３から図６では、交通案内情報は信号機であるものとして説明したが、これは例示であり、本発明を限定するものではない。上述のとおり、本実施形態では、交通案内情報は交通標識であってもよい。
【００６３】
図７を用いて、交通案内情報が標識である場合の処理について説明する。図７は、本実施形態に係るイベント検出に基づくイベント記録データの、交通案内情報が交通標識である場合のイベント検出前の映像の一例を示す図である。なお、イベント検出時の処理については、図４及び図６の処理と同様なので説明は省略する。
【００６４】
図７に示すイベント記録データ３００Ｂには、第一交通標識３４０と、第二交通標識３５０と、第三交通標識３６０とが含まれている。第一交通標識３４０は、自車両Ｃ１が従うべき交通標識である。第二交通標識３５０は、他車両Ｃ２が従うべき交通標識である。第３交通標識は他車両Ｃ３が従うべき交通標識である。
【００６５】
交通案内情報対応判断部１３０は、他車両Ｃ２に対して第二交通標識３５０の交通案内情報を対応付ける。図７に示す例の場合、交通案内情報対応判断部１３０は、例えば、第二交通標識３５０が「優先道路」を示している場合、他車両Ｃ２に対して第二交通標識３５０の交通案内情報が「優先道路」であることを対応付ける。交通案内情報対応判断部１３０は、他車両Ｃ３に対して第三交通標識３６０の交通案内情報を対応付ける。図７に示す例の場合、交通案内情報対応判断部１３０は、例えば、第三交通標識が「一時停止」を示している場合、他車両Ｃ３に対して第三信号機３３０の交通案内情報が「一時停止」であることを対応付ける。
【００６６】
そして、図７に示すように、表示制御部１２７は、例えば、イベント記録データ３００Ｂにおける他車両Ｃ２に対応する位置に、対応交通案内情報３２として吹き出しＰ１を重畳させて表示する。この場合、表示制御部１２７は、例えば、吹き出しＰ１の中身に「優先道路」を示す交通標識を表示させる。また、表示制御部１２７は、例えば、吹き出しＰ１の中身に「第二交通標識３５０は優先道路を示しています」といったような文章を表示してもよい。
【００６７】
また、表示制御部１２７は、例えば、イベント記録データ３００Ｂにおける他車両Ｃ３に対応する位置に、対応交通案内情報３２として吹き出しＰ２を重畳させて表示する。この場合、表示制御部１２７は、例えば、吹き出しＰ２の中身に「一時停止」を示す交通標識を表示させる。また、表示制御部１２７は、例えば、吹き出しＰ２の中身に「第三交通標識３６０は一時停止を示しています」といったような文章を表示してもよい。
【００６８】
図７では、交通標識は優先道路と、一時停止であるものとして説明したが、これは例示であり、本発明を限定するものではない。交通標識は、制限速度を表示する交通標識であってもよい。この場合、吹き出しの中身には制限速度の交通標識を表示させてもよいし、「制限速度はＸＸｋｍです」といったような文章を表示してよい。なお、交通案内情報が交通標識であってもイベントを検出した後の処理については、交通案内情報が信号機と同じであるので説明を省略する。
【００６９】
上述のとおり、図７に示す例では、各他車両が走行する車線に、それぞれの他車両が従うべき交通標識の表示内容を重畳させている。これにより、イベント記録データを確認することによって、事故などのイベント発生時に他車両の挙動を容易に判別することができる。
【００７０】
［映像記録制御装置１００の処理］
図８を用いて、本実施形態に係る映像記録制御装置１００の処理について説明する。図８は、本実施形態に係る映像記録制御装置１００の処理の流れの一例を示すフローチャートである。
【００７１】
まず、映像記録制御装置１００は、カメラ１０によって撮影された映像データの記録を開始する（ステップＳ１０１）。具体的には、映像記録制御装置１００は、データ取得部１２０によって、カメラ１０から映像データを取得し、バッファメモリ１２１に記憶する。そして、映像記録制御装置１００は、ステップＳ１０２に進む。
【００７２】
ステップＳ１０２では、映像記録制御装置１００は、信号機などの交通案内情報に近接しているか否かを判定する。具体的には、映像記録制御装置１００は、現在位置算出部１２９がＧＰＳ受信部７０から取得したＧＰＳ信号に基づいて現在位置を算出し、算出した現在位置の周辺に信号機などの交通案内情報があるか否かを判定する。
【００７３】
交通案内情報に近接している場合（ステップＳ１０２の「Ｙｅｓ」）、映像記録制御装置１００は、ステップＳ１０３に進み、交通案内情報を取得する。具体的には、映像記録制御装置１００は、交通案内情報取得部１２２によって交通案内情報を取得する。一方、交通案内情報に近接していない場合（ステップＳ１０２の「Ｎｏ」）、映像記録制御装置１００は、ステップＳ１０９に進む。
【００７４】
交通案内情報を取得した場合（ステップＳ１０３の「Ｙｅｓ」）、映像記録制御装置１００は、ステップＳ１０４に進み、他車両を検出判定する。具体的には、映像記録制御装置１００は、他車両情報検出部１２５によって他車両を検出する。一方、交通案内情報を取得しなかった場合（ステップＳ１０３の「Ｎｏ」）、映像記録制御装置１００は、ステップＳ１０９に進む。
【００７５】
他車両を検出した場合（ステップＳ１０４の「Ｙｅｓ」）、映像記録制御装置１００は、ステップＳ１０５に進み、他車両の位置および移動方向から交通案内情報を他車両に対応付ける（ステップＳ１０５）。具体的には、映像記録制御装置１００は、交通案内情報対応判断部１３０によって、他車両に交通案内情報を対応付ける。そして、映像記録制御装置１００は、ステップＳ１０６に進む。一方、他車両を検出しなかった場合（ステップＳ１０４の「Ｎｏ」）、映像記録制御装置１００は、ステップＳ１０９に進む。
【００７６】
ステップＳ１０６では、映像記録制御装置１００は、他車両に発生したイベントを検出する。具体的には、映像記録制御装置１００は、イベント検出部１２８によって他車両に発生したイベントを検出する。
【００７７】
イベントが検出された場合（ステップＳ１０６の「Ｙｅｓ」）、映像記録制御装置１００は、ステップＳ１０７に進む。そして、映像記録制御装置１００は、イベント検出前後の映像データと、検出された他車両に対応付けた交通案内情報とをイベント記録データとして記憶部３０に保存する（ステップＳ１０７）。具体的には、映像記録制御装置１００は、記憶制御部１２３によって、イベント記録データを記憶部３０に保存する。そして、映像記録制御装置１００は、ステップＳ１０８に進む。一方、イベントが検出されなかった場合（ステップＳ１０６の「Ｎｏ」）、ステップＳ１０８に進む。
【００７８】
記録を終了しない場合（ステップＳ１０８の「Ｎｏ」）、映像記録制御装置１００は、ステップＳ１０２に戻り、図８の処理を継続する。一方、記録を終了する場合（ステップＳ１０８の「Ｙｅｓ」）、映像記録制御装置１００は、図８の処理を終了する。
【００７９】
また、ステップＳ１０９では、映像記録制御装置１００は、他車両に発生したイベントを検出する。具体的には、映像記録制御装置１００は、イベント検出部１２８によって他車両に発生したイベントを検出する。
【００８０】
イベントが検出された場合（ステップＳ１０９の「Ｙｅｓ」）、映像記録制御装置１００は、イベント検出前後の映像データをイベント記録データとして記憶部３０に保存する。具体的には、映像記録制御装置１００は、記憶制御部１２３によって、イベント記録データを記憶部３０に保存する。そして、映像記録制御装置１００は、ステップＳ１０８に進み、上述した処理を実行する。一方、イベントが検出されなかった場合（ステップＳ１０９の「Ｎｏ」）、映像記録制御装置１００は、ステップＳ１０８に進み、上述した処理を実行する。
【００８１】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００８２】
１  映像記録システム
１０  カメラ
２０  マイクロフォン
３０  記憶部
３１  イベント記録データ
３２  対応交通案内情報
３３  車両認識辞書
３４  地図情報
４０  操作部
５０  表示部
６０  センサ部
７０  ＧＰＳ受信部
８０  ＴＳＰＳ受信部
１００  映像記録制御装置
１１０  バス
１２０  データ取得部
１２１  バッファメモリ
１２２  交通案内情報取得部
１２３  記憶制御部
１２４  再生制御部
１２５  他車両情報検出部
１２６  操作制御部
１２７  表示制御部
１２８  イベント検出部
１２９  現在位置算出部
１３０  交通案内情報対応判断部
１３１  映像データ処理部
【図１】
2020042712.tif 000003
【図２】
2020042712.tif 000004
【図３】
2020042712.tif 000005
【図４】
2020042712.tif 000006
【図５】
2020042712.tif 000007
【図６】
2020042712.tif 000008
【図７】
2020042712.tif 000009
【図８】
2020042712.tif 000010
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
自車両の周囲を撮影するカメラが撮影した映像データを取得するデータ取得部と、
前記カメラが撮影している方向に存在する交通案内情報を取得する交通案内情報取得部と、
前記データ取得部が取得した映像データから他車両を認識し、認識した前記他車両の位置および移動方向を検出する他車両情報検出部と、
前記他車両情報検出部が検出した前記他車両の位置および移動方向に基づいて、前記他車両が従うべき交通案内情報を対応付ける交通案内情報対応判断部と、
前記他車両が関係するイベントを検出するイベント検出部と、
前記イベント検出部がイベントを検出した場合、イベントの発生時点を少なくとも含む期間の映像データと、前記交通案内情報対応判断部が判断した前記他車両が従うべき交通案内情報とを、位置関係が整合した別の映像データとして保存する記憶制御部と、
を備える映像記録制御装置。
【請求項２】
前記記憶制御部は、イベントの発生時点を少なくとも含む期間の映像データと、前記他車両が従うべき交通案内情報とを、少なくとも、イベントの発生時点を少なくとも含む期間の映像データのみの再生、およびイベントの発生時点を少なくとも含む期間の映像データに前記他車両が従うべき交通案内情報を含めた再生が可能なように保存する、
請求項１に記載の映像記録制御装置。
【請求項３】
前記他車両情報検出部は、認識した前記他車両の移動推移をさらに検出し、
前記イベント検出部は、認識した前記他車両の移動推移に基づき前記他車両が関連するイベントを検出する、
請求項１または２に記載の映像記録制御装置。
【請求項４】
前記データ取得部は、映像データに加えて音声データを取得し、
前記イベント検出部は、認識した他車両の移動推移に加えて音声データに基づき前記他車両が関連するイベントを検出する、
請求項３に記載の映像記録制御装置。
【請求項５】
前記イベント検出部は、認識した他車両の移動推移に加えて前記自車両に加わった加速度に基づき、前記他車両および前記自車両が関連するイベントを検出する、
請求項３または４に記載の映像記録制御装置。
【請求項６】
前記交通案内情報は、信号機または交通標識であり、
前記交通案内情報対応判断部は、前記他車両が従うべき前記信号機の点灯情報または前記交通標識の内容を前記他車両に対応付ける、
請求項１から５のいずれか１項に記載の映像記録制御装置。
【請求項７】
請求項１から６のいずれか１項に記載の映像記録制御装置と、
自車両の周囲を撮影するカメラと、
前記カメラが撮影した映像データを保存する記憶部と、
を備える映像記録システム。
【請求項８】
自車両の周囲を撮影するカメラが撮影した映像データを取得するデータ取得ステップと、
前記カメラが撮影している方向に存在する交通案内情報を取得する交通案内情報取得ステップと、
前記データ取得ステップにおいて取得された映像データから他車両を認識し、認識した前記他車両の位置および移動方向を検出する他車両情報検出ステップと、
前記他車両情報検出ステップにおいて検出された前記他車両の位置および移動方向に基づいて、前記他車両が従うべき交通案内情報を対応付ける交通案内情報対応判断ステップと、
前記他車両が関係するイベントを検出するイベント検出ステップと、
前記イベント検出ステップにおいてイベントが検出された場合、イベントの発生時点を少なくとも含む期間の映像データと、前記交通案内情報対応判断ステップにおいて判断された前記他車両が従うべき交通案内情報とを、位置関係が整合した別の映像データとして保存する記録制御ステップと、
を映像記録制御装置が実行する映像記録方法。
【請求項９】
自車両の周囲を撮影するカメラが撮影した映像データを取得するデータ取得ステップと、
前記カメラが撮影している方向に存在する交通案内情報を取得する交通案内情報取得ステップと、
前記データ取得ステップにおいて取得された映像データから他車両を認識し、認識した前記他車両の位置および移動方向を検出する他車両情報検出ステップと、
前記他車両情報検出ステップにおいて検出された前記他車両の位置および移動方向に基づいて、前記他車両が従うべき交通案内情報を対応付ける交通案内情報対応判断ステップと、
前記他車両が関係するイベントを検出するイベント検出ステップと、
前記イベント検出ステップにおいてイベントが検出された場合、イベントの発生時点を少なくとも含む期間の映像データと、前記交通案内情報対応判断ステップにおいて判断された前記他車両が従うべき交通案内情報とを、位置関係が整合した別の映像データとして保存する記録制御ステップと、
をコンピュータに実行させるための映像記録制御プログラム。